(57)【要約】      （修正有）【課題】金属製のドレン配管自体で排気ガスのトラップを構成することによって、個別の部品としてトラップを取り付けるための組み立てが不要であり、ドレン配管自体が耐熱性で劣化し難く、中和容器には仕切り壁等の複雑な構造が不要となる燃焼機器を提供する。【解決手段】燃料ガスを燃焼するバーナと、このバーナで発生した燃焼ガスから顕熱を回収する一次熱交換器と、この一次熱交換器を通過した排気ガスから潜熱を回収する二次熱交換器８と、この２次熱交換器８で凝縮したドレン水を受けるドレン受け皿３７と、このドレン受け皿３７で受けたドレン水を中和容器に導くドレン配管７と、このドレン水を中和して排出する中和容器を有する燃焼機器において、前記ドレン配管７にドレン水とともに侵入する前記排気ガスのトラップ３８が、前記ドレン配管７の途中に設けられ、かつ、ドレン配管７自体によって構成された燃焼機器である。【選択図】図５
2008224152.tif 000002
【特許請求の範囲】
【請求項１】
燃料ガスを燃焼するバーナと、
このバーナで発生した燃焼ガスから顕熱を回収する一次熱交換器と、
この一次熱交換器を通過した排気ガスから潜熱を回収する二次熱交換器と、
この２次熱交換器で凝縮したドレン水を受けるドレン受け皿と、
このドレン受け皿で受けたドレン水を中和容器に導くドレン配管と、
このドレン水を中和して排出する中和容器を有する燃焼機器において、
前記ドレン配管にドレン水とともに侵入する前記排気ガスのトラップが、前記ドレン配管の途中に設けられ、かつ、ドレン配管自体によって構成された燃焼機器。
【請求項２】
請求項１において、
ドレン配管が、ドレン受け皿から中和容器に向けて下り勾配を有するように設けられ、
この下り勾配の途中に部分的に上り勾配を設けることによって、
トラップが構成された燃焼機器。
【請求項３】
請求項１又は請求項２において、
ドレン配管が、燃焼機器本体内の内部ドレン配管と、前記燃焼機器本体外の外部ドレン配管とを有し、
トラップが、前記内部ドレン配管に設けられた燃焼機器。
【発明の詳細な説明】
【技術分野】
【０００１】
本発明は、潜熱回収型の燃焼機器に関する。
【背景技術】
【０００２】
近年、燃焼機器への高効率化の要求の高まりから、いわゆる潜熱回収型の燃焼機器が普及している。このような、潜熱回収型の燃焼機器は、燃焼ガスからの顕熱を回収する一次熱交換器と、排気ガスからの潜熱の回収を行う二次熱交換器とを備えるのが一般的である。
【０００３】
二次熱交換器では、排気ガスからの潜熱回収を行う際に、排気ガス中の硫黄成分等を含んだ強酸性のドレン水が発生する。このため、二次熱交換器で発生したドレン水は、ドレン受け皿で集められ、ドレン配管によって中和容器に導かれ、中和後に排出される。
【０００４】
このとき、ドレン配管には、二次熱交換器からドレン水とともに排気ガスも入り込むため、ドレン配管の途中や中和容器には、この排気ガスのトラップが設けられる。
【０００５】
このような排気ガスのトラップとしては、中和容器の内部に仕切り壁を設けて、ドレン水が通過する経路をＵ字形に構成することで、トラップとしたものが知られている（特許文献１）。また、ドレン配管の途中に、樹脂を成形した部品として構成したトラップを取り付けたものが知られている。
【特許文献１】特開２００１−２４１７６４号公報
【発明の開示】
【発明が解決しようとする課題】
【０００６】
しかしながら、特許文献１では、中和容器の構造が複雑になるため、その設計や成形自体が面倒で、かつ二次加工が必要である上、中和容器に充填する中和剤の補給やメンテンスが面倒な問題がある。また、樹脂で成形したトラップでは、排気ガスは運転状態によっては高温となるため、樹脂が劣化・変形する問題や、別個の部品であるため、部品数の増加による組み立て工数増加の問題がある。
【０００７】
本発明は、上記問題を解決するためになされたものであり、金属製のドレン配管自体で排気ガスのトラップを構成することによって、個別の部品としてトラップを取り付けるための組み立てが不要であり、トラップが耐熱性で劣化し難く、中和容器にはトラップを構成するための仕切り壁等の複雑な構造が不要となる燃焼機器を提供することを目的とする。
【課題を解決するための手段】
【０００８】
本発明は、以下に関するものである。
（１）  燃料ガスを燃焼するバーナと、このバーナで発生した燃焼ガスから顕熱を回収する一次熱交換器と、この一次熱交換器を通過した排気ガスから潜熱を回収する二次熱交換器と、この２次熱交換器で凝縮したドレン水を受けるドレン受け皿と、このドレン受け皿で受けたドレン水を中和容器に導くドレン配管と、このドレン水を中和して排出する中和容器とを有する燃焼機器において、前記ドレン配管にドレン水とともに侵入する前記排気ガスのトラップが、前記ドレン配管の途中に設けられ、かつ、ドレン配管自体によって構成された燃焼機器
（２）  （１）において、ドレン配管が、ドレン受け皿から中和容器に向けて下り勾配を有するように設けられ、この下り勾配の途中に部分的に上り勾配を設けることによって、トラップが構成された燃焼機器。
（３）  （１）又は（２）において、ドレン配管が、燃焼機器本体内の内部ドレン配管と、前記燃焼機器本体外の外部ドレン配管とを有し、トラップが、前記内部ドレン配管に設けられた燃焼機器。
【発明の効果】
【０００９】
本発明によれば、金属製のドレン配管自体で排気ガスのトラップを構成することによって、個別の部品としてトラップを取り付けるための組み立てが不要であり、トラップが耐熱性で劣化し難く、中和容器にはトラップを構成するための仕切り壁等の複雑な構造が不要となる燃焼機器を提供することができる。
【発明を実施するための最良の形態】
【００１０】
本発明の対象となる燃焼機器は、例えば、図１の動作原理図に示すように、燃料ガスを燃焼するバーナ１１と、このバーナ１１で発生した燃焼ガスから顕熱を回収する一次熱交換器１０と、この一次熱交換器１０を通過した排気ガスから潜熱を回収する二次熱交換器８と、この２次熱交換器８で凝縮したドレン水９を受けるドレン受け皿３７と、このドレン受け皿３７で受けたドレン水９を中和容器１に導くドレン配管７、３６と、このドレン水を中和して排出する中和容器１とを有するものであればよく、特に制限はない。
【００１１】
ここでは、浴室壁面の開口を利用するため、設置スペースをコンパクト化することが可能な利点を有する壁貫通釜を対象として、本発明を適用した場合を取り上げて説明する。しかしながら、本発明の適用される燃焼機器は、このような壁貫通釜に限定されるものではなく、ドレン配管を有する潜熱回収型の燃焼機器に広く適用できるものである。
【００１２】
図１の例では、壁貫通釜は、壁貫通釜本体３をコンパクト化するために、燃焼機器本体３と中和容器１とが分離されており、これらの間は、外部ドレン配管３６によって繋がれている。ただ、寸法制約の少ない潜熱回収型の燃焼機器においては、中和容器１を燃焼機器本体内に収納するのが一般であり、この場合には、燃焼機器本体内でドレン受け皿３７と中和容器１が内部ドレン配管９によって接続される。なお、以下、壁貫通釜本体３内のドレン配管を「内部ドレン配管７」、壁貫通釜本体３外のドレン配管を「外部ドレン配管３６」、これらを区別しない場合には単に「ドレン配管７、３６」と言う。
【００１３】
図１に基づいて、本発明の燃焼機器の動作原理を説明する。まず、湯水の流れについて説明する。湯水が壁貫通釜本体３の給水配管接続部２７から給水なされ、水量センサ３３によって、この湯水が所定の流量に達したか否かが検知される。水量センサ３３を通った湯水は、二次熱交換器８に導かれ、この二次熱交換器８で排気ガスから潜熱を回収する。この潜熱を回収した湯水は、一次熱交換器１０に導かれ、この一次熱交換器で燃焼ガスからの顕熱を回収する。この顕熱を回収した湯水は、混合弁で所定の温度の湯水とされた後、給湯栓から使用される。
【００１４】
次に、燃料ガスの流れについて説明する。燃料ガスは、ガス配管接続部２９からバーナ１１へ供給されて燃焼し、高温の燃焼ガスを発生させる。その燃焼ガスは、まず、給湯一次熱交換器１０を通過し、その際に顕熱を放熱する。顕熱を放熱した後の低温の燃焼ガスは、排気ガスとなる。次に、この排気ガスは二次熱交換器８を通過し、その際に潜熱を放熱する。そして、潜熱を放熱した排気ガスは、大部分は排気口３４から器具外へ排気されるが、一部は以下に述べるドレン水９とともに、ドレン配管７、３６に侵入する。
【００１５】
次に、ドレン水９の流れについて説明する。二次熱交換器８で排気ガスから潜熱が回収されると、排気ガスの温度は、２００℃程度から約６０℃程度まで低下する。これとともに、排気ガスに含まれる水蒸気が凝縮し、二次熱交換器８には結露水が発生する。この結露水は排気ガス中の硫黄成分等を含んでＰＨ２程度の強酸性のドレン水９となる。このため、二次熱交換器８で発生したこのドレン水９は、それを回収するためのドレン受け皿３７にて回収され、内部ドレン配管７に流入する。そして、ドレン配管接続部３２を介して、外部ドレン配管３６を通った後、炭酸カルシウムを充填した中和容器１の入口部に流入する。中和容器１にて中和されたドレン水９は中和容器１のドレン水排出配管２６からＰＨ７程度となり排出される。
【００１６】
図２は、この壁貫通釜本体３を在来工法の浴室に設置した浴室の設置例図であり、浴室洗い場側（浴槽６の長手面）からの見たときの透視図である。図２の例のように、ドレン水を中和するための中和容器１を外部に設けた場合は、外部ドレン配管３６によって、壁貫通釜３と外部の中和容器１が接続され、潜熱回収の際に凝縮した強酸性のドレン水９が中和容器１に導かれる。なお、この図２の例のように、壁貫通釜３を設置した浴室壁と直交する浴室壁４に、中和容器１を設置した場合は、中和容器１内の炭酸カルシウムの残量の確認と補充作業を、エプロン１７を外すのみで行うことができ、利便性が増すので望ましい。
【００１７】
図３は、図２の浴室を浴槽６の短手方向から見たときの透視図である。壁貫通釜３の内部に、潜熱回収用の二次熱交換器８と、この二次熱交換器８で発生するドレン水を通す内部ドレン配管７とを備え、壁貫通釜３の外部に、ドレン水を中和する中和容器１と、この中和容器１に内部ドレン配管７からのドレン水を道導く外部ドレン配管（図示しない。）とを備える。また、壁貫通釜３の下側には、給水配管と、給湯配管と、ガス配管と、風呂往き配管と、風呂戻り配管１６と、外部ドレン配管３６を有している（作図の都合上、風呂戻り配管１６のみを図示する）。
【００１８】
図４はこの壁貫通釜本体３を正面から見た要部透視図を、図５は壁貫通釜本体３を左側面から見た要部透視図を示す。壁貫通釜本体３には、各種配管と接続するための接続部が設けられる。このような接続部としては、壁貫通釜本体３に水を供給する給水配管を接続する給水配管接続部２７と、壁貫通釜本体３で加熱された湯水を浴室内に供給する給湯配管を接続する給湯配管接続部２８と、壁貫通釜本体３に燃料を供給するガス配管を接続するためのガス配管接続部２９と、浴槽水を循環加熱するための風呂往き配管を接続するための風呂往き配管接続部３０と、風呂戻り配管を接続するための風呂戻り配管接続部３１と、外部ドレン配管３６を接続するためのドレン配管接続部３２が挙げられる。
【００１９】
図４、及び、図５に示すように、壁貫通釜本体３内には、二次熱交換器８で発生したドレン水９を受けたドレン受け皿３７からのドレン水９を導く内部ドレン配管７が設けられており、この内部ドレン配管７と外部ドレン配管３６とが、壁貫通釜本体３の前カバー２４に設けられたドレン配管接続部３２によって接続される。
【００２０】
ドレン配管７、３６は、１００℃以上の高温に耐え、ｐＨ２程度の強酸に対する耐食性を有する材質のものであれば特に限定はないが、耐熱性の点から金属製のものが望ましく、耐食性、加工性、コスト等の点から、特に、ＳＵＳ３１６製が望ましい。
【００２１】
図４、及び、図５に示すように、排気ガスのトラップ３８は、内部ドレン配管７の途中に設けられ、かつ、内部ドレン配管７自体によって構成される。つまり、内部ドレン配管７の途中に、内部ドレン配管７の配管内にドレン水９が充満することによって、二次熱交換器８からの排気ガスを通過させないように封鎖する液封部３９が生じるように、内部ドレン配管７の勾配を形成する。具体的には、次段落以降に述べるように、内部ドレン配管７がドレン受け皿３７から前カバー２４に設けられたドレン配管接続部３２に向けて下り勾配を有するように設けられ、この下り勾配の途中に部分的に上り勾配を設けることによってトラップ３８を構成する。
【００２２】
図６は内部ドレン配管７の平面図を、図７は左側面図を、図８は正面図を示す。図６〜図８に示すように、内部ドレン配管７は、ドレン受け皿３７が上流に、ドレン配管接続部３２が下流になるように、勾配が設けられる。また、図６〜図８に示すように、Ａ〜Ｅの各部分に分けられる。なお、Ａ〜Ｅの分類は、説明の便宜上のものであり、内部ドレン配管７は、このように各部分に分けられた部品を組み立てて構成されるものではなく、１本の配管かを加工して得られる一つの部品として構成するのが、部品数や組立工数低減の点から望ましい。まず、Ａは、ドレン受け皿３７との接続部であり、略垂直となる部分を有する。
【００２３】
Ｂは、ドレン受け皿３７のある壁貫通釜本体３の奥側から、ドレン配管接続部３２のある前カバー２４側までドレン水を導く部分であり、ＡとＣとを繋ぐ比較的緩やかな下り勾配を有する部分である。
【００２４】
Ｃは、やはり下り勾配を有するが、その勾配はＢよりも急勾配とすると、勾配が緩やかな場合に比べて、より少量のドレン水９が溜まっただけで液封部３９が形成されるので望ましい。また、ドレン配管７、３６の詰りを検出するためのドレン詰り検出部１８を、内部ドレン配管６に設けると、それよりも下流側の外部ドレン配管３６や中和容器１で生じた詰りの両者を検出することが可能となるが、このドレン詰り検出部１８を、急勾配の下り勾配を持たせたＣに設けることで、ドレン水９の流れが円滑になり、ドレン水９が溜まった状態での液面が安定するので、誤検出が減るため望ましい。
【００２５】
Ｄは、上り勾配を有する部分であり、内部ドレン配管７の途中に、部分的にこの上り勾配を設けることでトラップが構成される。Ｅは、壁貫通釜本体３の前カバー２４に設けられたドレン配管接続部３２との接続部を有する部分であり、下り勾配を有し、その勾配はＣよりも緩やかとなっている。
【００２６】
ＤとＥとの境界部（上り勾配から下り勾配となる境界）における内部ドレン配管７の内壁の最下点の位置は、最も高い場合でも、Ａの上端、即ち、ドレン受け皿３７の下面よりも低い位置とされる。また、最も低い場合でも、ＣとＤとの境界部（下り勾配から上り勾配となる境界）における内部ドレン配管７の内壁の最上点よりも高い位置とされる。
【００２７】
これにより、ドレン受け皿３７から内部ドレン配管７内をドレン水９が流下して中和容器１に導かれる際には、ＤとＥの境界部における内部ドレン配管７の内壁の最下点の高さに相当する高さまで、ドレン水９が溜まることになり、しかも、溜まったドレン水９の液面は、ＣとＤとの境界部における内部ドレン配管７の内壁の最上点よりも高いので、内部ドレン配管７内が全てドレン水９で満たされるため、液封部３９が形成される。そして、このように、液封部３９が形成されることで、二次熱交換器８からドレン水９とともに内部ドレン配管７に侵入してきた排気ガスをトラップすることが可能となり、これによって、内部ドレン配管７自体によってトラップ３８が構成される。
【００２８】
Ｃにドレン配管７、３６の詰りを検出するためのドレン詰り検出部１８を設けた場合は、ＤとＥとの境界部における内部ドレン配管７の内壁の最下点の位置は、ドレン詰り検出部１８よりも低い位置となるようにするのが望ましい。これにより、液封部３９の液面が、ドレン検出部１８よりも低くなるため、ドレン詰り検出部１８の誤検出を抑制することができる。
【００２９】
なお、以上では、トラップ３８を内部ドレン配管７に設けた例について記載したが、このトラップ３８は外部ドレン配管３６の途中に、外部ドレン配管３６自体で構成して設けてもよい。その場合は、上述した内部ドレン配管７にトラップ３８を設ける場合と同様に、外部ドレン配管３６は、壁貫通釜本体３の前カバー２４に設けられたドレン配管接続部３２から中和容器１に向って全体としては下り勾配とされ、その途中に部分的に上り勾配を設けることでトラップ３８を構成する。
【００３０】
また、内部ドレン配管７の場合と同様に、外部ドレン配管３６の上り勾配を有する部分と、その下流側の下り勾配を有する部分との境界（上り勾配から下り勾配となる境界）における外部ドレン配管３２の内壁の最下点の位置は、最も高い場合でも、内部ドレン配管のＡの上端、即ち、ドレン受け皿３７の下面よりも低い位置とされる。また、最も低い場合でも、外部ドレン配管３６の下り勾配から上り勾配となる境界における外部ドレン配管３６の内壁の最上面よりも高い位置とされる。これにより、内部ドレン配管７の場合と同様に、液封部３９が形成され、トラップが構成される。
【００３１】
なお、上述したように、ドレン詰り検出部１８を内部ドレン配管７のＣに設けた場合は、外部ドレン配管３６の上り勾配を有する部分と、その下流側の下り勾配を有する部分との境界（上り勾配から下り勾配となる境界）における外部ドレン配管３２の内壁の最下点の位置は、ドレン詰り検出部１８よりも低い位置となるようにするのが望ましい。これにより、トラップ３８によって形成される液封部３９の液面が、ドレン検出部１８よりも低くなるため、トラップ３８によって形成された液封部３９の液面をドレン堅検出部１８が検知することを抑制できるので、このことによるドレン詰り検出部１８の誤検出を抑制することができる。
【実施例】
【００３２】
本実施例の燃焼機器は、図１の動作原理図に示すように、燃料ガスを燃焼するバーナ１１と、このバーナ１１で発生した燃焼ガスから顕熱を回収する一次熱交換器１０と、この一次熱交換器１０を通過した排気ガスから潜熱を回収する二次熱交換器８と、この２次熱交換器８で凝縮したドレン水９を受けるドレン受け皿３７と、このドレン受け皿３７で受けたドレン水９を中和容器１に導くドレン配管７、３６と、このドレン水を中和して排出する中和容器１とを有するものである。
【００３３】
本実施例は、燃焼機器の一種であり、浴室壁面の開口を利用するため、設置スペースをコンパクト化することが可能な利点を有する壁貫通釜に、本発明を適用したものである。
【００３４】
図２に示すように、壁貫通釜本体３をコンパクト化するために、燃焼機器本体３と中和容器１とを分離し、これらの間は、外部ドレン配管３６によって接続した。
【００３５】
図３に示すように、壁貫通釜３の内部に、潜熱回収用の二次熱交換器８と、この二次熱交換器８で発生するドレン水を通す内部ドレン配管７とを設け、壁貫通釜３の外部に、ドレン水を中和する中和容器１と、この中和容器１に内部ドレン配管７からのドレン水を道導く外部ドレン配管３６とを設けた。また、壁貫通釜３の下側には、給水配管と、給湯配管と、ガス配管と、風呂往き配管と、風呂戻り配管１６と、外部ドレン配管３６を設けた（作図の都合上、風呂戻り配管１６のみを図示する）。
【００３６】
図４、及び、図５に示すように、壁貫通釜本体３には、各種配管と接続するための接続部を設けた。即ち、接続部として、壁貫通釜本体３に水を供給する給水配管を接続する給水配管接続部２７と、壁貫通釜本体３で加熱された湯水を浴室内に供給する給湯配管を接続する給湯配管接続部２８と、壁貫通釜本体３に燃料を供給するガス配管を接続するためのガス配管接続部２９と、浴槽水を循環加熱するための風呂往き配管を接続するための風呂往き配管接続部３０と、風呂戻り配管を接続するための風呂戻り配管接続部３１と、外部ドレン配管３６を接続するためのドレン配管接続部３２を設けた。
【００３７】
図４、及び、図５に示すように、壁貫通釜本体３内には、二次熱交換器８で発生したドレン水９を受けたドレン受け皿３７からのドレン水９を導く内部ドレン配管７を設け、この内部ドレン配管７と外部ドレン配管３６とを、壁貫通釜本体３の前カバー２４に設けられたドレン配管接続部３２によって接続した。ドレン配管７、３６は、ＳＵＳ３１６製のものを使用した。
【００３８】
図４、及び、図５に示すように、排気ガスのトラップ３８は、内部ドレン配管７の途中に、内部ドレン配管７自体によって構成した。つまり、内部ドレン配管７の途中に、内部ドレン配管７の配管内にドレン水９が充満することによって、二次熱交換器８からの排気ガスを通過させないように封鎖する液封部３９が生じるように、内部ドレン配管７の勾配を形成した。具体的には、内部ドレン配管７をドレン受け皿３７から前カバー２４に設けられたドレン配管接続部３２に向けて下り勾配を有するように設け、この下り勾配の途中に部分的に上り勾配を設けることによってトラップ３８を構成した。
【００３９】
図６〜図８に示すように、内部ドレン配管７は、ドレン受け皿３７が上流に、ドレン配管接続部３２（中和容器１）が下流になるように、勾配を設けた。また、内部ドレン配管７は、１本の配管を加工して作製したが、説明の便宜上、図６〜図８に示すように、Ａ〜Ｅの各部分に分けて説明する。まず、Ａはドレン受け皿３７との接続部であり、ドレン受け皿３７との継手となる部分は、略垂直とした。
【００４０】
Ｂは、ドレン受け皿３７のある壁貫通釜本体３の奥側から、ドレン配管接続部３２のある前カバー２４側までドレン水を導く部分であり、ＡとＣとを繋ぎ、Ａ及びＣよりも緩やかな下り勾配を設けた。
【００４１】
Ｃは、やはり下り勾配を設けたが、その勾配はＢよりも急勾配とした。また、ドレン配管７、３６の詰りを検出するためのドレン詰り検出部１８を設けた。
【００４２】
Ｄには、上り勾配を設けた。Ｅには、壁貫通釜本体３の前カバー２４に設けられたドレン配管接続部３２との接続部を設け、下り勾配の勾配はＣよりも緩やかとした。
【００４３】
ＤとＥとの境界部（上り勾配から下り勾配となる境界）における内部ドレン配管７の内壁の最下点の位置は、ドレン詰り検出部１８よりも低い位置で、かつ、ＣとＤとの境界部（下り勾配から上り勾配となる境界）における内部ドレン配管７の内壁の最上点よりも高い位置とした。
【００４４】
これにより、ドレン受け皿３７から内部ドレン配管７内をドレン水９が流下して中和容器１に導かれる際には、ＤとＥの境界部における内部ドレン配管７の内壁の最下点の高さに相当する高さまで、ドレン水９が溜まることになり、しかも、溜まったドレン水９の液面は、ＣとＤとの境界部における内部ドレン配管７の内壁の最上点よりも高いので、内部ドレン配管７内が全てドレン水９で満たされるため、液封部３９が形成された。そして、このように、液封部３９が形成されることで、二次熱交換器８からドレン水９とともに内部ドレン配管７に侵入してきた排気ガスをトラップすることが可能となり、これによって、内部ドレン配管７自体によってトラップ３８が構成された。
【図面の簡単な説明】
【００４５】
【図１】本発明の一実施例である壁貫通釜の基本構成と動作原理を表わす模式図である。
【図２】本発明の一実施例である壁貫通釜の設置例図であり、浴室洗い場側（浴槽の長手面）からの見たときの透視図である。
【図３】本発明の一実施例である壁貫通釜の設置例図であり、浴槽の短手面からの見たときの透視図である。
【図４】本発明の一実施例である壁貫通釜本体を正面から見た要部透視図である。
【図５】本発明の一実施例である壁貫通釜本体を左側面から見た要部透視図である。
【図６】本発明の一実施例である壁貫通釜に用いた内部ドレン配管の平面図である。
【図７】本発明の一実施例である壁貫通釜に用いた内部ドレン配管の左側面図である。
【図８】本発明の一実施例である壁貫通釜に用いた内部ドレン配管の正面図である。
【符号の説明】
【００４６】
１…中和容器、３…壁貫通釜本体、４…浴室壁、５…開口スペース、６…浴槽、７…内部ドレン配管、８…二次熱交換器、９…ドレン水、１０…一次熱交換器、１１…バーナ、１２…給水配管、１３…給湯配管、１４…ガス配管、１５…風呂往き配管、１６…風呂戻り配管、１７…エプロン、１８…ドレン詰り検出部、２４…前カバー、２５…浴室床、２６…ドレン水排出配管、２７…給水配管接続部、２８…給湯配管接続部、２９…ガス配管接続部、３０…風呂往き配管接続部、３１…風呂戻り配管接続部、３２…ドレン配管接続部、３３…水量センサ、３４…排気口、３６…外部ドレン配管、３７…ドレン受け皿、３８…トラップ、３９…液封部、
【図１】
2008224152.tif 000003
【図２】
2008224152.tif 000004
【図３】
2008224152.tif 000005
【図４】
2008224152.tif 000006
【図５】
2008224152.tif 000007
【図６】
2008224152.tif 000008
【図７】
2008224152.tif 000009
【図８】
2008224152.tif 000010